(57)【特許請求の範囲】
【請求項１】
ラックが載置される基板と、
前記基板の周縁部に設けられたリブと、
角部を形成する前記リブに設けられたコーナープレートと、を有し、複数の支柱に架設されるラック用台座であって、
前記基板には、開口部と前記ラックを固定するための複数の貫通孔とが形成されており、
前記コーナープレートは、前記基板の裏側において前記基板と離間して設けられるとともに、前記支柱に臨む連通孔を備え、
前記連通孔に締結具が挿通されることにより前記コーナープレートが前記支柱に固定されていることを特徴とするラック用台座。
【請求項２】
前記基板には、前記連通孔に連通するとともに前記締結具を締結する際に工具が挿入される孔部が形成されていることを特徴とする請求項１に記載のラック用台座。
【請求項３】
前記貫通孔は、長孔であることを特徴とする請求項１又は請求項２に記載のラック用台座。
【請求項４】
複数の支柱と、複数の前記支柱に架設されたラック用台座と、を有する二重床構造であって、
前記ラック用台座は、
ラックが載置される基板と、前記基板の周縁部に設けられたリブと、角部を形成する前記リブに設けられたコーナープレートと、を有し、
前記基板は、開口部と前記ラックを固定するための複数の貫通孔とを備え、
前記コーナープレートは、前記基板の裏側において前記基板と離間して設けられるとともに、前記支柱に臨む連通孔を備え、
前記支柱と前記コーナープレートは、前記連通孔を介して締結具で固定されており、前記締結具の頭部が前記コーナープレートと前記基板との間に収まることを特徴とする二重床構造。
【発明の詳細な説明】
【技術分野】
【０００１】
本発明は、ラックを載置するためのラック用台座及びラック用台座を備えた二重床構造に関する。
【背景技術】
【０００２】
例えば、サーバーコンピュータを収納するサーバーラックは、サーバーラックの下部から配線、配管等を通すため二重床構造を備えた部屋に設置される。特許文献１には、従来の二重床構造として、床に複数の架台が設けられた第一従来例と、床に立設する複数の支柱に床パネルが設けられた第二従来例が記載されている。
【０００３】
具体的には、第一従来例に係る二重床構造は、複数の架台が並設された架台列と、隣り合う架台列間に架設された架設パネルとで構成されている。この架台は、サーバーラックが載置される平板状の載置部と、載置部の四隅から垂下された脚部と、を有している。サーバーラックは比較的重量があり背の高いものが多いため、載置する部分の安定性、耐震性等は高いレベルが要求される。したがって、第一従来例に記載の二重床構造では、強度の高い架台（架台列）の上にサーバーラックが載置されている。
【０００４】
一方、第二従来例に係る二重床構造は、床に立設された複数の支柱と、この支柱に架設された床パネルとで構成されている。床パネルの四隅は、四つの支柱の受け座に跨ってそれぞれ当接支持されている。床パネルを複数配設することで、一つの床面を構成しており、この床面にサーバーラックが載置される。
【先行技術文献】
【特許文献】
【０００５】
【特許文献１】実用新案公報平５−４３１５４号公報
【発明の概要】
【発明が解決しようとする課題】
【０００６】
第一従来例の前記載置部及び第二従来例の前記床パネルは、共に板状部材であるため、通気性に劣るとともに、配管や配線を挿通させる際には別途孔を形成しなければならずこの作業が煩雑になっていた。
【０００７】
また、第一従来例及び第二従来例では、載置部及び床パネルにラックを載置するだけであるため、安定性及び耐震性に劣るという問題があった。ここで、サーバーラックの下部を、例えばＬ型金具と締結具（ボルト）等を介して載置部及び床パネルに固定することが考えられるが、前記載置部及び床パネルに孔を形成しなければならないため、作業が煩雑になっていた。
【０００８】
また、サーバーコンピュータは、増設又は減設することがあるため、これに伴ってサーバーラックの大きさ、配置等も変更することになる。前記載置部及び床パネルに孔を設けた上で、Ｌ型金具及びボルト等を介して固定すると、配置換え等の作業が煩雑になるため柔軟に対応できない。つまり、第一従来例及び第二従来例では、安定性、耐震性等の向上と、作業性の向上とを両立することは困難であった。
【０００９】
本発明はこのような課題を解決するために創作されたものであり、ラックを安定して載置することができるとともに、ラックの配置換え等にも容易に対応することができるラック用台座を提供すること及びラック用台座を用いた二重床構造を提供することを目的とする。
【課題を解決するための手段】
【００１０】
前記課題を解決するため本発明に係るラック用台座は、ラックが載置される基板と、前記基板の周縁部に設けられたリブと、角部を形成する前記リブに設けられたコーナープレートと、を有し、複数の支柱に架設されるラック用台座であって、前記基板には、開口部と前記ラックを固定するための複数の貫通孔とが形成されており、前記コーナープレートは、前記基板の裏側において前記基板と離間して設けられるとともに、前記支柱に臨む連通孔を備え、前記連通孔に締結具が挿通されることにより前記コーナープレートが前記支柱に固定されていることを特徴とする。
【００１１】
かかる構成によれば、基板に開口部を備えているため、通気性を高めることができるとともに、例えば、ラックにコンピュータを収容する場合には開口部に配線等を挿通させることができる。
また、基板に貫通孔を備えているため、締結具等でラックを固定することができる。これにより、ラックを安定して載置することができるとともに、ラックを固定する際に基板に新たに孔を形成する必要がないため、作業性を高めることができる。また、貫通孔を複数備えることで、ラックの配置換え等にも柔軟に対応することができる。
【００１２】
また、基板の周縁部にリブを設けるとともに、角部を構成するリブにコーナープレートを設けることで、ラック用台座の強度を高めることができるため、より安定性を高めることができる。また、コーナープレートに連通孔を備えているため、この連通孔を介して締結具等でラック用台座を支柱に固定することができる。
【００１３】
また、前記基板には、前記連通孔に連通するとともに前記締結具を締結する際に工具が挿入される孔部が形成されていることが好ましい。また、前記貫通孔は、長孔であることが好ましい。かかる構成によれば、ラックの大きさや、載置位置が変更してもより柔軟に対応することができる。
【００１５】
また、本発明に係る二重床構造は、複数の支柱と、複数の前記支柱に架設されたラック用台座と、を有する二重床構造であって、前記ラック用台座は、ラックが載置される基板と、前記基板の周縁部に設けられたリブと、角部を形成する前記リブに設けられたコーナープレートと、を有し、前記基板は、開口部と前記ラックを固定するための複数の貫通孔とを備え、前記コーナープレートは、前記基板の裏側において前記基板と離間して設けられるとともに、前記支柱に臨む連通孔を備え、前記支柱と前記コーナープレートは、前記連通孔を介して締結具で固定されており、前記締結具の頭部が前記コーナープレートと前記基板との間に収まることを特徴とする。
【００１６】
かかる構成によれば、ラック用台座が支柱に固定されるため、ラック用台座がガタつくことを防ぐことができ、ラックを安定して載置することができる。
また、基板に開口部を備えているため、通気性を高めることができるとともに、例えば、ラックにコンピュータを収容する場合には開口部に配線等を挿通させることができる。
【００１７】
また、基板に貫通孔を備えているため、締結具等でラックを固定することができる。これにより、ラックを安定して載置することができるとともに、ラックを固定する際に基板に新たに孔を形成する必要がないため、作業性を高めることができる。また、貫通孔を複数備えることで、ラックの配置換え等にも柔軟に対応することができる。
【００１８】
また、基板の周縁部にリブを設けるとともに、角部を構成するリブにコーナープレートを設けることで、ラック用台座の強度を高めることができるため、より安定性を高めることができる。
【発明の効果】
【００１９】
本発明のラック用台座及び二重床構造によれば、ラックを安定して載置することができるとともに、ラックの配置換え等にも柔軟に対応することができる。
【図面の簡単な説明】
【００２０】
【図１】本実施形態に係る二重床構造を示した斜視図である。
【図２】本実施形態に係る第一ラック用台座を示した斜視図であって、（ａ）は、斜め上方から見た図、（ｂ）は、斜め下方から見た図である。
【図３】本実施形態に係る第二ラック用台座を示した斜視図であって、（ａ）は、斜め上方から見た図、（ｂ）は、斜め下方から見た図である。
【図４】本実施形態に係る支柱を示した斜視図である。
【図５】本実施形態に係るラックを示した図であって、（ａ）は、斜視図、（ｂ）は、底面図である。
【図６】本実施形態に係る支柱の配置状態を示した模式平面図である。
【図７】本実施形態に係る支柱に第一ラック用台座を載置した状態を示した模式平面図である。
【図８】図７のＡ−Ａ断面図であって、（ａ）は、本実施形態に係る支柱に第一ラック用台座を載置した状態を示し、（ｂ）は、本実施形態に係る支柱に第一ラック用台座を固定した状態を示す。
【図９】本実施形態に係るラック用台座にラックを載置した状態を示した模式平面図である。
【図１０】図９のＢ−Ｂ断面図であって、ラック用台座とラックとの固定状態を示す。
【発明を実施するための形態】
【００２１】
本発明の実施形態について図面を参照して詳細に説明する。説明における上下左右前後は、図１の矢印にしたがう。図１に示すように、本実施形態に係る二重床構造Ｎは、複数の支柱３１と、４つの支柱３１に架設されたラック用台座１と、で構成されている。複数のラック用台座１で構成された台座面Ｘの上に後記するラックが載置される。
【００２２】
ラック用台座１は、本実施形態では、第一ラック用台座１Ａ及び第二ラック用台座１Ｂの一対のラック用台座を用いている。まず、第一ラック用台座１Ａについて説明する。
【００２３】
＜第一ラック用台座＞
第一ラック用台座１Ａは、図２の（ａ）及び（ｂ）に示すように、ラックが載置される基板２と、基板２の周縁部に設けられたリブ３と、基板２の裏側の角部に設けられた複数のコーナープレート４と、基板２の裏面に設けられた補強リブ５とを有する。
【００２４】
第一ラック用台座１Ａは、例えばサーバーコンピュータを収容するサーバーラックを載置、固定するための部材である。第一ラック用台座１Ａは、金属製であって、溶接加工、穴あけ加工等によって形成されている。第一ラック用台座１Ａは、本実施形態ではサーバーラックを載置することを例示するが、載置するラックの種類は特に制限されるものではない。また、第一ラック用台座１Ａの材料及び成形方法は特に制限されるものではない。
【００２５】
基板２は、ラックが載置される部位である。基板２は、平面視矩形の幅広部２ａと、平面視Ｌ字状を呈するＬ字部２ｂとを有する。幅広部２ａとＬ字部２ｂとで大きな開口となる開口部１１が構成されている。
【００２６】
開口部１１は、サーバーコンピュータの配線、配管等を挿通させるとともに、通気口となる部位である。開口部１１は、基板２の右側において約半分の大きさで平面視矩形に形成されており、後側が後方に開放している。開口部１１の形状、大きさは、特に制限されるものではなく、適宜設定すればよい。
【００２７】
幅広部２ａの右端には貫通孔１２が形成されている。貫通孔１２は、後記するラックを固定するボルト（締結具）の軸部を挿通させる部位である。貫通孔１２は、本実施形態では、長孔であって前後方向に亘って６つ形成されている。最も後側に位置する貫通孔１２は、半長孔であって後方に開放している。貫通孔１２の形状、大きさは特に制限されないが、ボルトの軸部を挿通でき、ボルトの頭部よりも小さい孔であればよい。
【００２８】
幅広部２ａの前方左端及び後方左端には、孔部１３が形成されている。また、Ｌ字部２ｂの前方右端及び後方右端には、孔部１３が形成されている。孔部１３は、後記する支柱に第一ラック用台座１Ａをボルトで固定する際に、工具等を挿通させるための逃げ孔である。第一ラック用台座１Ａは、本実施形態では、四つの支柱に支持されるため、これに応じて孔部１３も基板２の四隅に形成されている。
【００２９】
リブ３は、基板２を補強する部材である。リブ３は、基板２の周縁部において下方に垂下している。前側に配設されたリブ３（前側リブ３ａ）は、左右方向に連続して設けられている。左側に配設されたリブ３（左側リブ３ｂ）及び右側に配設されたリブ３（右側リブ３ｃ）は、前後方向に連続して設けられている。後側に配設されたリブ３（後方リブ３ｄ）は、後方左側リブ３ｄ１と、後方右側リブ３ｄ２とに分かれている。後方左側リブ３ｄ１と後方右側リブ３ｄ２との間は、開放されている。
【００３０】
リブ３は、隣り合う部位同士で角部を構成する。この角部が、支柱３１に当接して載置される（図１参照）。リブ３は、ラックの形状及び重量等を考慮して、配設位置、厚み及び大きさを設定すればよい。
【００３１】
前側リブ３ａには、連結孔１４が三箇所に形成されている。また、左側リブ３ｂ及び右側リブ３ｃには、連結孔１４がそれぞれ一箇所ずつ形成されている。連結孔１４は、第一ラック用台座１Ａ及び第二ラック用台座１Ｂを並設する際に、隣り合う第一ラック用台座１Ａ及び第二ラック用台座１Ｂの連結孔１４を連通させて、締結具等を介して連結するための孔である。連結孔１４の位置や数は、ラック用台座１の形状や大きさに基づいて適宜設ければよい。
【００３２】
補強リブ５は、基板２の周縁部以外の位置において基板２を補強する部材である。補強リブ５は、本実施形態では幅広部２ａの中央右寄りから下方に垂下されている。また、補強リブ５は、左側リブ３ｂに対して平行に設けられている。本実施形態では、前側リブ３ａ、左側リブ３ｂ、後方左側リブ３ｄ１、補強リブ５は平面視矩形に連結されており、これらのリブで囲まれた領域の幅広部２ａには貫通孔及び開口部が空いていないため強度を高めることができる。補強リブ５は、ラックの形状及び重量等を考慮して、配設位置、厚み及び大きさ等を適宜設定すればよい。
【００３３】
コーナープレート４（４ａ〜４ｄ）は、支柱３１の上端に対向する部位である。コーナープレート４は、平面視三角形を呈する板状部材であって、基板２の裏側の四隅に一つずつ設けられている。コーナープレート４は、基板２から所定の距離で離間して基板２に対して平行に設けられている。また、コーナープレート４には、厚さ方向に貫通する連通孔２１がそれぞれ穿設されている。連通孔２１は、第一ラック用台座１Ａを後記する支柱に載置する際に、支柱の突部に臨む位置に形成されている。連通孔２１は、本実施形態では長孔を呈するが形状は制限されるものではない。
【００３４】
より具体的には、前方左側に設けられた第一コーナープレート４ａは、リブ３の角部（前側リブ３ａと左側リブ３ｂとで構成された角部）に亘って取り付けられている。前方右側に設けられた第二コーナープレート４ｂは、リブ３の角部（前側リブ３ａと右側リブ３ｃとで構成された角部）に亘って取り付けられている。後方左側に設けられた第三コーナープレート４ｃは、リブ３の角部（左側リブ３ｂと後方左側リブ３ｄ１とで構成された角部）に亘って取り付けられている。後方右側に設けられた第四コーナープレート４ｄは、リブ３の角部（右側リブ３ｃと後方右側リブ３ｄ２とで構成された角部）に亘って取り付けられている。このように、コーナープレート４は、各リブ３で構成される角部に跨って形成されているため、第一ラック用台座１Ａの強度を高めることができる。
【００３５】
＜第二ラック用台座＞
第二ラック用台座１Ｂは、図３の（ａ）及び（ｂ）に示すように、第一ラック用台座１Ａと近似する構成を備えている。第二ラック用台座１Ｂについては、第一ラック用台座１Ａと重複する部分については同等の符号を付して詳細な説明は省略し、相違する部分について説明する。
【００３６】
第二ラック用台座１Ｂは、ラックが載置される基板２と、基板２の周縁部に設けられた複数のリブ３と、基板２の裏側の角部に設けられた複数のコーナープレート４と、基板２の裏面に設けられた補強リブ５とを有する。
【００３７】
基板２に形成された開口部１１は、基板の右側において約半分の大きさで平面視矩形に形成されており、前側が前方に向けて開放している。
【００３８】
貫通孔１２は、本実施形態では、長孔であって前後方向に亘って６つ形成されている。最も前側に位置する貫通孔１２は、半長孔であって前方に開放している。
【００３９】
リブ３（３ａ〜３ｄ）は、基板２を補強する部位である。前側リブ３ａは、前方左側リブ３ａ１と、前方右側リブ３ａ２とに分かれている。前方左側リブ３ａ１と、前方右側リブ３ａ２との間は開放されている。後方リブ３ｄは、左右方向に連続して形成されている。
【００４０】
＜支柱＞
次に、ラック用台座１の下方に配設される支柱３１について説明する。
支柱３１は、図４に示すように、基部３２と、基部３２に立設する支持脚３３と、支持脚３３の上部に取り付けられた受け部３４と、受け部３４に立設する四つの突部３５とを有する。支柱３１は、金属で形成されており、ラック用台座１を支持する部材である。
【００４１】
基部３２は、平面視矩形の板状部材であって、床Ｙに配置される部位である。支持脚３３は、軸部材であって、基部３２に対して垂直に立設されている。支持脚３３は、基部３２に立設する大径部３３ａと、大径部３３ａから上方に延設された小径部３３ｂとを有する。小径部３３ｂの外周面には、螺旋状の溝が形成されている。なお、基部３２は、本実施形態では、床Ｙに配置されているが、例えば、床Ｙが免震構造を備えている場合等は、この免震構造を構成する部材の上に配置されてもよい。
【００４２】
受け部３４は、ラック用台座１を支持する部位である。受け部３４は、受け面３４ａと、連結部３４ｂと、ロック部３４ｃとを有する。受け面３４ａは、円板状を呈し、支持脚３３と同軸で形成されている。連結部３４ｂは、受け面３４ａから同軸で垂下しており、支持脚３３の小径部３３ｂに螺合される。ロック部３４ｃは、連結部３４ｂの半径方向に貫通された孔に螺合するネジ部材である。ロック部３４ｃを締めると小径部３３ｂに当接するように形成されている。受け部３４は、小径部３３ｂに螺合されることで上下方向に調節可能になっている。また、ロック部３４ｃを締めることで、支持脚３３に対して受け部３４をロックすることができる。
【００４３】
突部３５は、受け面３４ａに立設されており、ラック用台座１を固定するためのボルトが締結される部位である。突部３５の内部には、ボルトが螺合されるネジ溝が形成されている。突部３５は、受け面３４ａの中心で直交する直線上であって、かつ、受け面３４ａの中心から等距離となる位置にそれぞれ形成されている。本実施形態では、受け面３４ａに４つのラック用台座１が載置されるように形成されている。
【００４４】
なお、支柱３１は、本実施形態では前記したように形成したが、これに限定されるものではなく、ラック用台座１が載置可能であって、支柱３１に対してラック用台座１が固定可能であれば他の形態であってもよい。また、本実施形態では、一の支柱３１に対して４つのラック用台座１を載置するが、載置する数は適宜設定すればよい。
【００４５】
＜ラック＞
次に、ラック用台座１の上に載置されるラック４１について説明する。
ラック４１は、図５の（ａ）に示すように、直方体を呈する筐体であって、内部に例えばサーバーコンピュータが収容される。ラック４１は、前部に取り付けられたヒンジ式の開閉扉４２と、筐体の底を構成する底部４３と、を有する。
【００４６】
図５の（ｂ）は、ラック４１の底面図である。底部４３は、枠部材４４と、枠部材４４の角部に形成された四つの角部材４５とを有する。枠部材４４は、平面視矩形の枠状に形成されており、前枠部材４４ａ、後枠部材４４ｂ、左枠部材４４ｄ、右枠部材４４ｃとで構成されている。
【００４７】
角部材４５（４５ａ〜４５ｄ）は、枠部材４４の各角部に形成されている。角部材４５の下面は、枠部材４４の下面と面一に形成されている。角部材４５（４５ａ〜４５ｄ）には、ボルトが締結されるネジ溝４６ａ〜４６ｄがそれぞれ形成されている。ネジ溝４６ａ〜４６ｄは、ラック用台座１の裏面（下面）からボルト等の締結具で締結される。このように、ラック４１は、筐体の四隅にネジ溝４６ａ〜４６ｄを設けているので、ラック４１をバランスよく固定することができる。
【００４８】
なお、ラック４１は、本実施形態では、前記のように構成したがこれに限定されるものではなく、その構造や内部に収容する物等は適宜変更が可能である。
【００４９】
＜二重床構造の構築方法＞
次に、図１及び図６〜図１０を参照して本実施形態に係る二重床構造Ｎの構築方法及びラック４１の取り付け構造について説明する。
【００５０】
まず、図６に示すように、床Ｙに格子状に複数の支柱３１を配設する。図６では、九個の支柱３１（３１ａ〜３１ｉ）を図示している。
【００５１】
次に、図６に示すように、支柱３１ａ、支柱３１ｂ、支柱３１ｄ及び支柱３１ｅで構成された領域Ｒ１に第一ラック用台座１Ａを載置する。図７に示すように、支柱３１ａ、支柱３１ｂ、支柱３１ｄ及び支柱３１ｅのうち、領域Ｒ１側の４つの突部３５を含むように、第一ラック用台座１Ａを載置する。これにより、平面視すると、第一ラック用台座１Ａの各孔部１３と、各支柱３１の突部３５が連通する。本実施形態では、第一ラック用台座１Ａの開口部１１が後方に開放する向きで載置する。
【００５２】
同様に、図６に示す領域Ｒ４、領域Ｒ５に第一ラック用台座１Ａを載置し、領域Ｒ２、領域Ｒ３及び領域Ｒ６に第二ラック用台座１Ｂを載置する。図１に示すように、前後方向に隣接する第一ラック用台座１Ａ及び第二ラック用台座１Ｂの開口部１１が連続するように、第一ラック用台座１Ａ及び第二ラック用台座１Ｂを載置する。図１では、説明の便宜上、６枚のラック用台座１を配設しているが、ラック用台座１の枚数や支柱の本数は適宜設定すればよい。
【００５３】
次に、図８に示すように、突部３５にボルトを締結する。図８の（ａ）に示すように、支柱３１の受け面３４ａに第一ラック用台座１Ａが載置されており、突部３５と、第一コーナープレート４ａの連通孔２１と、基板２の孔部１３とが連通している。次に、図８の（ｂ）に示すように、第一コーナープレート４ａの連通孔２１を介して突部３５にボルト５１を締結する。これにより、支柱３１に対して第一ラック用台座１Ａが固定される。同様に、第一ラック用台座１Ａのコーナープレート４（４ｂ，４ｃ，４ｄ）を、各支柱３１（３１ｄ，３１ｂ，３１ｅ）に固定する。このように、第一ラック用台座１Ａの四隅をボルトで締結するため、バランスよくかつ強固に固定することができる。
【００５４】
図１に示すように、同様の手順で、複数の第一ラック用台座１Ａ及び第二ラック用台座１Ｂをそれぞれ固定して二重床構造Ｎを構築する。複数の第一ラック用台座１Ａ及び第二ラック用台座１Ｂによって、一の台座面Ｘが形成される。
【００５５】
図９は、本実施形態に係るラック用台座にラックを載置した状態を示した模式平面図である。図１０は、図９のＢ−Ｂ断面図であって、ラック用台座とラックとの固定状態を示す。
次に、図９及び図１０に示すように、二重床構造Ｎの台座面Ｘに、ラック４１を固定する。なお、説明の便宜上、図９のうち第一ラック用台座１Ａを前側から後側に向けて第一ラック用台座１Ａ１〜１Ａ３とする。一方、第二ラック用台座１Ｂを前側から後側に向けて第二ラック用台座１Ｂ１〜１Ｂ３とする。
【００５６】
まず、図９に示すように、ラック用台座１の貫通孔１２と、ラック４１の角部材４５（４５ａ〜４５ｄ）のネジ溝４６ａ〜４６ｄとが連通するように、ラック４１を載置する。より具体的には、第二ラック用台座１Ｂ２の貫通孔１２と、ネジ溝４６ａ及びネジ溝４６ｂとを連通させる。また、第一ラック用台座１Ａ２の貫通孔１２と、ネジ溝４６ｄ及びネジ溝４６ｃとを連通させる。
【００５７】
最後に、図１０に示すように、ラック用台座１（１Ａ２，１Ｂ２）の裏面からネジ溝４６ａ〜４６ｄに対してボルト６１（締結具）を螺合して、ラック用台座１にラック４１を固定する。ラック４１を移動する際は、ボルト６１を一旦解除して、ラック４１を前後方向に移動させ、所望の位置でラック用台座１の貫通孔１２とラック４１のネジ溝４６ａ〜４６ｄを連通させてラック用台座１とラック４１とを再度固定する。
【００５８】
以上説明したラック用台座１及び二重床構造Ｎによれば、以下のような効果を奏する。
ラック用台座１によれば、基板２に開口部１１を備えているため、通気性を高めることができる。また、隣り合うラック用台座１，１の開口部１１を連続させることで大開口を設けることができる。大開口を設けることで、サーバーコンピュータの配線、配管作業の作業性を高めることができる。また、本実施形態のようにラック４１にサーバーコンピュータを収容する場合は、ファンが大型になるためこのように大きな開口を備えていることが好ましい。
【００５９】
また、基板２に貫通孔１２を備えているため、基板２の裏面からボルト６１（締結具）でラック４１を固定することができる。これにより、ラック４１を安定して載置することができるとともに、従来例のようにラック４１を固定する際に新たに孔を形成する必要がないため、作業性を高めることができる。また、貫通孔１２は、長孔であり複数個所に形成されることで、ラック４１の配置換えや大きさの変更等にも柔軟に対応することができる。
【００６０】
また、基板２の周縁部にリブ３及び補強リブ５を設けるとともに、角部を構成するリブ３に亘ってコーナープレート４を設けることで、ラック用台座１の強度を高めることができる。これにより、ラック４１の重量が大きい場合であっても安定して載置することができる。
【００６１】
また、コーナープレート４に連通孔２１を備えているため、この連通孔２１を介してボルト５１でラック用台座１を支柱３１に固定することができる。これにより、ラック用台座１がガタつかないため、ラック４１を安定して載置することができる。また、コーナープレート４は、基板２から所定の間隔をあけて基板２の裏側に設けられているため、ボルト５１が基板２の表面に露出することを防ぐことができる。また、基板２に逃げ孔としての孔部１３を形成することで、支柱３１にラック用台座１を固定する作業を容易に行うことができる。
【００６２】
以上、本発明の実施形態について説明したが、本発明の趣旨に反しない範囲において適宜設計変更が可能である。例えば、本実施形態では、四枚のラック用台座１に対して一のラック４１を固定する形態としたが、四枚以外の枚数で台座面を構成してラック４１を固定してもよいし、一枚のラック用台座１でラック４１を固定してもよい。
【００６３】
また、本実施形態では、ラック４１の四点で、ラック用台座１に固定したが、何点で固定してもよい。また、本実施形態では、ラック４１の裏側からボルト６１で締結したが、ラック４１の表側から締結してもよい。また、本実施形態では、支柱３１とラック用台座１との締結、及び、ラック用台座１とラック４１との締結にボルトを用いたが、両部材を拘束するものであれば他の締結具を用いてもよい。
【００６４】
また、本実施形態では、第一ラック用台座１Ａ、第二ラック用台座１Ｂと二種類のラック用台座を用いたが、一種類のみからなるラック用台座でもよい。また、貫通孔１２は、本実施形態では、前後方向に並設したが、左右方向に設けてもよい。
【００６５】
また、本実施形態では、支柱３１の受け面３４ａに突部３５を形成したが、受け面３４ａは、平坦であってもよい。また、受け面３４ａとラック用台座１との間にゴムなどの緩衝部材を介設してもよい。
【符号の説明】
【００６６】
１        ラック用台座
１Ａ      第一ラック用台座
１Ｂ      第二ラック用台座
２        基板
３        リブ
４        コーナープレート
５        補強リブ
１１      開口部
１２      貫通孔
１３      孔部
１４      連結孔
２１      挿通孔
３１      支柱
３４      受け部
３４ａ    受け面
３５      突部
４１      ラック
４６      ネジ溝
５１      ボルト（締結具）
６１      ボルト（締結具）
Ｎ        二重床構造
Ｘ        台座面
Ｙ        床
【図１】
0005520059.tif 000002
【図２】
0005520059.tif 000003
【図３】
0005520059.tif 000004
【図４】
0005520059.tif 000005
【図５】
0005520059.tif 000006
【図６】
0005520059.tif 000007
【図７】
0005520059.tif 000008
【図８】
0005520059.tif 000009
【図９】
0005520059.tif 000010
【図１０】
0005520059.tif 000011